(57)【要約】【課題】  野菜等の陳列領域の温度を下げて、高温による野菜の傷みを防止すると共に、水を補給する容器からの水の溢出を解消して売り場領域を汚さないようにすること。【解決手段】  本発明の保冷材は、一辺が３０〜４０ｍｍ程度の三角形状または四角形状の透明な樹脂製の袋体に清水を封入して立方体に形成し、該立方体内に封入した清水を凍結させて野菜の保冷用としたことによって、ロック状またはブロック状の氷と同様に野菜の陳列領域の温度を下げるために使用できると共に、袋体の内部で清水の氷が溶けても外部には漏れ出さず、水補給用の容器から水が溢れ出ることがなくなるため、売り場領域を汚さず、しかも、外見上は透明な氷状に見えて陳列の体裁を向上させるのである。【選択図】  図１
2005083582.tif 000002
【特許請求の範囲】
【請求項１】
一辺が３０〜４０ｍｍ程度の三角形状または四角形状の透明な樹脂製の袋体に清水を封入して立方体に形成し、
該立方体内に封入した清水を凍結させて野菜の保冷用としたこと
を特徴とする保冷材。
【請求項２】
前記清水は、飲用に供せるアルカリイオン水であること
を特徴とする請求項１に記載の保冷材。
【発明の詳細な説明】
【技術分野】
【０００１】
本発明は、アスパラガスまたはブロッコリ等の野菜または鮮魚等の生ものを店頭に陳列する際に使用される保冷材に関するものである。
【背景技術】
【０００２】
一般に、この種の野菜または鮮魚等の生ものを店頭に陳列する際に、特に、夏季においては、外気温度が高いために、生ものが傷みやすいので、その周囲の温度または水温を下げるためにロック状またはブロック状の氷が使用されている。
【０００３】
鮮魚の場合には、冷凍ケース等に入れたり、低温陳列ケースに入れたりして温度による痛みを解消しているが、野菜等においては、低温陳列ケースに入れるわけにはいかず、野菜を新鮮な状態を維持させて陳列させるために、仕切られた中に比較的浅い容器を入れ、その容器に吸水性のシートを敷き、そのシートに充分な水を含ませてアスパラガス等の野菜を立てて陳列させ、その周囲に所要量のロック状またはブロック状の氷を載せて全体の温度を下げるようにし、高温による野菜の傷みを抑制するようにすると共に、外見上においても体裁が良く新鮮さを醸し出すようにしている。
【０００４】
しかしながら、現実に行っている前記のような周囲にロック状またはブロック状の氷を載せて低温に維持している場合には、周りに載せた氷は時間の経過と共に徐々に溶けて容器から水が溢れ出てしまい、陳列領域およびその周囲、即ち、売り場領域を水で汚すことになり、新鮮さを保つために水を必要とする野菜とはいえ、売り場領域が汚れるということは、イメージダウンになって商品価値を低下させることにつながり、それを避けるためにモップ等で掃除しなければならないという問題点を有するのである。
【０００５】
また、物または周囲を冷やして低温に維持しようとする所謂「保冷材」としては、例えば、低温でも柔軟性を重視した保冷材であって、水不溶性で非吸水性のポリマー被膜で表面被覆された水不溶性ポリマーの吸水ゲル粒子が、水溶性ポリマー、水および親水性アルコール類を含有する水性ゲル中に懸濁させた低温柔軟性を有するゲル状保冷材が公知になっている。この場合の保冷材は、例えば、低温に維持しなければならない食品・食材等と一緒に所定の包装箱に入れて宅配便にて発送するような場合に使用されるものであり、ゲル状にしてあるということは低温を長時間に渡って維持させるためであり、また、その大きさについても、低温を長時間維持させるためにある程度の大きさを必要とするものであり、実質的に野菜販売の店頭で使用するようなロック状またはブロック状に形成することはできないのである。
【特許文献１】特公平７−８１１３４号公報
【０００６】
仮に、従来例の保冷材を、野菜を立てて陳列させる容器に、現実に行っているロック状またはブロック状の氷に代えて、野菜の周囲に並べて載せて低温に維持しようとする場合には、容器から水が溢れ出ることはないが、野菜の陳列部所にそぐわない保冷材の存在により、見た目の新鮮さよりも陳列の体裁が失われ、購買意欲が削がれる結果になるものと考えられる。
【発明の開示】
【発明が解決しようとする課題】
【０００７】
従来技術に対して解決しようとする課題は、野菜の陳列領域の温度を下げて、高温による野菜の傷みを防止すると共に、仕切られた区画内の容器からの水の溢出を解消して売り場領域を汚さないようにし、且つ外見上においても新鮮さと陳列の体裁を損なわないようにすることができる保冷材を提供することである。
【課題を解決するための手段】
【０００８】
本発明は、一辺が３０〜４０ｍｍ程度の三角形状または四角形状の透明な樹脂製の袋体に清水を封入して立方体に形成し、該立方体内に封入した清水を凍結させて野菜の保冷用としたことを最も主要な特徴とする保冷材である。
【０００９】
本発明の保冷材は、封入した清水が、飲用に供せるアルカリイオン水であること、を付加的な要件として含むものである。
【発明の効果】
【００１０】
本発明の保冷材は、小径の透明な樹脂袋体に清水を入れて凍結させたものであるため、ロック状またはブロック状の氷と同様に野菜の陳列領域の温度を下げるために使用できると共に、袋体の内部で清水の氷が溶けても外部には漏れ出さず、仕切られた区画内の容器から水が溢れ出ることがなくなるため、売り場領域を汚さず、しかも、外見上は透明な氷状に見えて陳列の体裁を向上させるのである。
また、保冷材は、冷凍することにより、繰り返し使用できると共に、例えば、災害時に水道設備に不都合が生じて飲料水が不足した時に、袋に封入した清水は漏洩しないで保持されるので、袋を破って急場凌ぎの飲料水として利用できるのである。
【発明を実施するための最良の形態】
【００１１】
野菜の新鮮さを維持することができるようにし、同時に売り場領域における汚れを解消すると共に、陳列の体裁を良くして商品価値を高めることができるようにするために、小径の三角形状または四角形状の透明な樹脂袋体に清水を封入し凍結させて保冷材とする構成によって、実現化したものである。
【実施例１】
【００１２】
図１は、本発明に係る保冷材の第１の実施例を示す斜視図であり、保冷材１は、全体が略三角形状の立方体を呈するものであり、該立方体は透明な樹脂フィルムで形成され、一辺の長さが約３０〜４０ｍｍ程度の大きさの袋体２の内部に清水を封入して凍結したものである。
【００１３】
この第１の実施例に係る保冷材１の製造に当たっては、例えば、チューブ状の樹脂フィルムを使用し、該チューブの一端をシール２ａした後に内部に所要量の清水を注入して他方の端部を、先のシール２ａと略直交する方向にシール２ｂすることによって三角形状の立方体に形成することができ、そのシール２ｂと同時に次の立方体形成のためのシール２ａをして、そのシール２ａの手前でチューブを切断することで、順次三角形状の立方体を形成するのである。
【実施例２】
【００１４】
図２は、本発明に係る保冷材の第２の実施例を示す斜視図であり、保冷材３は、全体が略四角形状の立方体を呈するものであり、該立方体は透明な樹脂フィルムで形成され、最長の一辺の長さが約３０〜４０ｍｍ程度で、最短の一辺の長さが約２０〜３０ｍｍ程度の大きさの袋体４の内部に清水を封入して凍結したものである。
【００１５】
この第２の実施例に係る保冷材３の製造に当たっては、前記第１の実施例と同様に、チューブ状の樹脂フィルムを使用し、該チューブの一端をシール４ａした後に内部に所要量の清水を注入して他方の端部を、先のシール４ａと略平行する方向にシール４ｂすることによって四角形状の立方体に形成することができ、そのシール４ｂと同時に次の立方体形成のためのシール４ａをして、そのシール４ａの手前でチューブを切断することで、順次四角形状の立方体を形成するのである。
【００１６】
この四角形状の立方体にするための袋体４の形成に当たっては、図３に示したように、袋体４のシール部４ａ、４ｂにおいて、それぞれ両側から内側への所定長さの折り返し部４ｃを形成し、該折り返し部４ｃを内側に重ねた状態で一緒にシールすることによって、立方体の四角形状が確立し易くなるのである。
【００１７】
そして、袋体２、４内に封入される清水は、水道水でも良いが、好ましくは、飲用に供せるアルカリイオン水を使用する。この場合に、例えば、飲料水として利用されている湧き水で弱アルカリ性の水を殺菌装置とイオン化装置を通して、殺菌処理とイオン化処理とを行ったものを無菌の状態で袋体２、４内に封入し、形状の異なる保冷材１、３が形成されるのである。
【００１８】
このように形成した保冷材１、３は、適宜の冷凍庫に入れ内部の清水を冷凍させて使用するのであり、その使用例の一例を図４に示してある。
この使用例は、野菜としてアスパラガスの陳列に使用する場合であって、例えば、区画された中で新鮮さを保つために野菜に水を補給するトレー状の容器１１が使用され、該容器１１に吸水性のシート１２を敷き、そのシート１２の上部にまで水が来るように充分な水を入れ、そのシート１２の上に多数のアスパラガスの野菜１３を立て、容器の背面壁１１ａに立て掛けて陳列させるようにし、その陳列させた野菜１３の前面側に、多数の保冷材１、３を混ぜて適宜収納するようにする。
【００１９】
このように保冷材１、３を容器１１に入れることによって、ロック状またはブロック状の氷と同様に水を冷やすことはもちろんのこと、野菜１３の根本および周囲を低温に維持することができるのであり、しかも、袋体２、４の内部で清水の氷が溶けても外部には漏れ出さず、容器１１から水が溢れ出ないので、売り場領域を汚さず、しかも、外見上は氷に見えて陳列の体裁の良さを表現できるのである。
【００２０】
また、保冷材１、３は、その内部に封入した清水が飲用に供せるアルカリイオン水であるため、凍結と溶解とを繰り返して長期に使用しても、腐敗することがないのであり、例えば、地震等の災害によって水道設備に不都合が生じて飲料水が不足した時に、飲料水として一時凌ぎに利用できるし、さらに、野菜売り場に子供連れの客が来て、あれこれと時間を掛けて選んでいる間、子供が退屈するような場合に、飲料水にもなる冷たくて綺麗な保冷材を子供に上げることによって喜ばれ、一種のおもちゃにもなるのである。
【００２１】
いずれにしても、本発明の保冷材１、３は、小径の三角形状または四角形状に形成し、これを陳列した野菜の周囲に適宜量を散乱状態で使用し、周囲温度を低下させて野菜の新鮮さを維持すると共に、売り場領域を水で汚さないようにして全体の陳列体裁を良くし、商品価値を高めることができるのである。
【産業上の利用可能性】
【００２２】
本発明に係る小径の三角形状または四角形状に形成した保冷材１、３は、野菜のみならず生花等の植物および所要の時間に渡って低温に維持しなければならない物品（商品または食材等）と一緒にすることによって、その物品の周囲を低温に維持することができるのであり、特に、外気温度が高い夏場において、低温に維持することによって物品の品質を維持しなければならないような状況下で、全ての物品に対して利用することができるのである。
【図面の簡単な説明】
【００２３】
【図１】本発明の具体的な第１の実施例に係る保冷材を示した斜視図である。
【図２】本発明の具体的な第２の実施例に係る保冷材を示した斜視図である。
【図３】同実施例における袋体のシール部の構成を説明するための斜視図である。
【図４】本発明に係る保冷材の使用例を説明するための略示的斜視図である。
【符号の説明】
【００２４】
１、３  保冷材
２、４  袋体
２ａ、２ｂ、４ａ、４ｂ  シール部
４ｃ  折り返し部
１１  容器
１１ａ  背面壁
１２  吸水性のシート
１３  野菜（アスパラガス）
【図１】
2005083582.tif 000003
【図２】
2005083582.tif 000004
【図３】
2005083582.tif 000005
【図４】
2005083582.tif 000006